(57)【要約】  カラビナ工具アッセンブリが提供される。工具アッセンブリは、一実施形態において、長手方向の長さを有する工具を収納する本体部分とカラビナアッセンブリとを備える。本体部分は、内部室を形成する外殻と、外殻を通って内部室まで延びる開口とを備え、開口は、工具の長手方向の長さに沿った方向に工具を通すのに必要なよりもごくわずかに大きなサイズである。カラビナアッセンブリは、選択的に動作可能なゲートアッセンブリを有する第１の脚を備え、第１の脚は、本体部分の第１のセクションから延びる。第２の脚が本体部分の第２のセクションから延び、第３の脚が第１の脚と第２の脚との間に延び、カラビナアッセンブリの第１の脚、第２の脚、及び第３の脚は、別の開口を画定する。カラビナアッセンブリは、２つの脚しか有さなくてもよい。
2007511374.tif 000002
【特許請求の範囲】
【請求項１】
工具アッセンブリであって、
長手方向の長さを有する少なくとも１つの工具を収納する本体部分であって、
内部室を形成する外殻、及び
該外殻を通って前記内部室まで延びる開口であって、前記工具の前記長手方向の長さに沿った方向に前記工具を通すのに必要なサイズよりもごくわずかに大きなサイズである、開口を備える、
本体部分と、
該本体部分から延び、少なくとも１つの第１の脚アッセンブリ及び第２の脚アッセンブリを備え、該脚アッセンブリの一方に沿って選択的に開口可能なゲートアッセンブリが延びている、少なくとも１つのカラビナ取り付けアッセンブリと
を備える、工具アッセンブリ。
【請求項２】
前記工具は複数の六角レンチ型ビットヘッドである、請求項１に記載の工具アッセンブリ。
【請求項３】
前記工具は複数のドライバーヘッドである、請求項１に記載の工具アッセンブリ。
【請求項４】
前記複数のドライバーヘッドは、少なくとも１つのマイナスドライバーヘッド及び少なくとも１つのプラスドライバーヘッドを含む、請求項３に記載の工具アッセンブリ。
【請求項５】
前記少なくとも１つのマイナスドライバーヘッドは、１つの小さなマイナスドライバーヘッド及び１つの大きなマイナスドライバーヘッドであり、
前記少なくとも１つのプラスドライバーヘッドは、１つの小さなプラスドライバーヘッド及び１つの大きなプラスドライバーヘッドである、請求項４に記載の工具アッセンブリ。
【請求項６】
前記複数のドライバーヘッドを選択的に取り外し及び／又は選択的に固定保持するためのアクセス手段をさらに備える、請求項３に記載の工具アッセンブリ。
【請求項７】
前記アクセス手段は摺動可能な引き出しである、請求項６に記載の工具アッセンブリ。
【請求項８】
前記複数のドライバーヘッドのうちいずれか１つのドライバーヘッドが、前記アクセス手段から選択的に取り外し可能であり、且つ工具アッセンブリをドライバーとして用いるために前記長手方向の長さの一部に沿って前記本体部分の前記開口に選択的に挿入可能である、請求項６に記載の工具アッセンブリ。
【請求項９】
前記工具は巻尺を備える請求項１に記載の工具アッセンブリ。
【請求項１０】
前記巻尺の前記長手方向の長さは、前記内部室内に回転可能に固定されるだぼに巻き付けられる、請求項９に記載の工具アッセンブリ。
【請求項１１】
前記巻尺は、測定を行うのに用いるために前記長手方向の長さに沿って選択的に巻き出すように、前記本体部分の前記内部室から前記開口を通して延びる前記長手方向の長さの第１の端部に前縁を有する、請求項１０に記載の工具アッセンブリ。
【請求項１２】
前記巻尺は、前記巻き出された状態から前記内部室内の前記巻き付けられた状態に自動的に後退可能である、請求項１１に記載の工具アッセンブリ。
【請求項１３】
前記本体部分の外面に沿って、前記巻き出された巻尺が前記内部室に自動的に後退するのを防止する後退防止手段をさらに備える、請求項１２に記載の工具アッセンブリ。
【請求項１４】
前記巻尺の前記前縁が前記内部室に完全に後退するのを防止する完全後退防止手段をさらに備える、請求項１３に記載の工具アッセンブリ。
【請求項１５】
前記完全後退防止手段は、前記巻尺の前記前縁に固定される停止部を含み、該停止部は、前記本体部分の前記開口のサイズよりも大きなサイズである、請求項１４に記載の工具アッセンブリ。
【請求項１６】
前記ゲートアッセンブリはピン及びゲートアームを備え、該ゲートアームは前記ピンを中心として選択的に回動可能である、請求項１に記載の工具アッセンブリ。
【請求項１７】
前記ゲートアッセンブリは、前記本体部分から延びる弾性ゲートアームを備える、請求項１に記載の工具アッセンブリ。
【請求項１８】
ドライバーハンドルアッセンブリであって、
本体部分と、
選択的に開口可能なゲートアッセンブリが沿って延びる第１の脚であって、前記本体部分の第１のセクションから延びる第１の脚と、
前記本体部分の第２のセクションから延びる第２の脚と、
前記第１の脚と前記第２の脚との間に延びてこれらを接続する第３の脚と
を備え、
前記第１の脚、前記第２の脚、及び前記第３の脚は、前記ゲートアッセンブリが閉位置にある場合に互いに開口を画定する、ドライバーハンドルアッセンブリ。
【請求項１９】
前記本体部分は、前記開口から実質的に離れる方向に前記本体部分から延びるドライバー手段を有する、請求項１８に記載のドライバーハンドルアッセンブリ。
【請求項２０】
前記ドライバー手段は、前記本体部分内の開口内に選択的に収容可能な複数の交換式ドライバーヘッドを含む、請求項１９に記載のドライバーハンドルアッセンブリ。
【請求項２１】
前記複数の交換式ドライバーヘッドは、少なくとも１つのマイナスドライバーヘッド及び少なくとも１つのプラスドライバーヘッドを含む、請求項２０に記載のドライバーハンドルアッセンブリ。
【請求項２２】
前記少なくとも１つのマイナスドライバーヘッドは、１つの小さなマイナスドライバーヘッド及び１つの大きなマイナスドライバーヘッドであり、
前記少なくとも１つのプラスドライバーヘッドは、１つの小さなプラスドライバーヘッド及び１つの大きなプラスドライバーヘッドである、請求項２１に記載のドライバーハンドルアッセンブリ。
【請求項２３】
前記ゲートアッセンブリは、ピン及びゲートアームを備え、
該ゲートアームは前記ピンを中心として選択的に回動可能である、請求項１８に記載のドライバーハンドルアッセンブリ。
【請求項２４】
前記ゲートアッセンブリは、前記本体部分から延びる弾性ゲートアームを備える、請求項１８に記載のドライバーハンドルアッセンブリ。
【請求項２５】
巻尺ハンドルアッセンブリであって、
巻尺を内部に有する本体と、
前記本体から延び、少なくとも第１の脚アッセンブリ及び第２の脚アッセンブリを備え、該脚アッセンブリの一方に沿って選択的に開口可能なゲートアッセンブリが延びている、少なくとも１つのカラビナ取り付けアッセンブリと
を備える、巻尺ハンドルアッセンブリ。
【請求項２６】
前記本体は、
内部室を形成する外殻と、
該外殻を通って前記内部室まで、前記脚により画定される前記開口から実質的に離れる方向に延びる開口と
を備える、請求項２５に記載の巻尺ハンドルアッセンブリ。
【請求項２７】
前記巻尺は、前記内部室内に回転可能に固定されるだぼに巻きつけられる長手方向の長さを有する、請求項２６に記載の巻尺ハンドルアッセンブリ。
【請求項２８】
前記巻尺は、測定を行うのに用いるために前記長手方向の長さに沿って選択的に巻き出すように、前記本体部分の前記内部室から前記開口を通して延びる前記長手方向の長さの第１の端部に前縁を有する、請求項２７に記載の巻尺ハンドルアッセンブリ。
【請求項２９】
前記巻尺は、前記巻き出された状態から前記内部室内の前記巻き付けられた状態に自動的に後退可能である、請求項２８に記載の巻尺ハンドルアッセンブリ。
【請求項３０】
記本体部分の外面に沿って、前記巻き出された巻尺が前記内部室に自動的に後退するのを防止する後退防止手段をさらに備える、請求項２９に記載の巻尺ハンドルアッセンブリ。
【請求項３１】
前記巻尺の前記前縁が前記内部室に完全に後退するのを防止する完全後退防止手段をさらに備える、請求項３０に記載の巻尺ハンドルアッセンブリ。
【請求項３２】
前記完全後退防止手段は、前記巻尺の前記前縁に固定される停止部を含み、該停止部は、前記本体部分の前記開口のサイズよりも大きなサイズである、請求項３１に記載の巻尺ハンドルアッセンブリ。
【請求項３３】
前記ゲートアッセンブリはピン及びゲートアームを備え、該ゲートアームは前記ピンを中心として選択的に回動可能である、請求項２５に記載の巻尺ハンドルアッセンブリ。
【請求項３４】
前記ゲートアッセンブリは、前記本体部分から延びる弾性ゲートアームを備える、請求項２５に記載の巻尺ハンドルアッセンブリ。
【請求項３５】
カラビナ工具アッセンブリであって、
長手方向の長さを有する工具と、
該工具の前記長手方向の長さに沿った方向に前記工具を通すのに必要なよりもごくわずかに大きなサイズである開口を有する、本体部分と、
該本体部分から延び、少なくとも１つの第１の脚アッセンブリ及び第２の脚アッセンブリを備え、該脚アッセンブリの一方に沿って選択的に開口可能なゲートアッセンブリが延びている、少なくとも１つのカラビナ取り付けアッセンブリと
を備える、カラビナ工具アッセンブリ。
【請求項３６】
前記工具はドライバーである、請求項３５に記載のカラビナ工具アッセンブリ。
【請求項３７】
前記ドライバーは両頭ドライバービットである、請求項３６に記載のカラビナ工具アッセンブリ。
【請求項３８】
前記両頭ドライバービットは、マイナスドライバーヘッド及びプラスドライバーヘッドを備える、請求項３７に記載のカラビナ工具アッセンブリ。
【請求項３９】
前記両頭ドライバービットは、第一の六角レンチヘッド及び第二の六角レンチヘッドを備える、請求項３７に記載のカラビナ工具アッセンブリ。
【請求項４０】
前記ゲートアッセンブリはピン及びゲートアームを備え、該ゲートアームは前記ピンを中心として選択的に回動可能である、請求項３５に記載のカラビナ工具アッセンブリ。
【請求項４１】
前記ゲートアッセンブリは、前記本体部分から延びる弾性ゲートアームを備える、請求項３５に記載のカラビナ工具アッセンブリ。
【発明の詳細な説明】
【技術分野】
【０００１】
本発明は、包括的にはカラビナ型の取り付け装置に関し、より詳細には、限定はされないが巻尺又はドライバー／六角レンチ等の標準的な工具としての用途を有するカラビナ型の取り付け装置に関する。
【背景技術】
【０００２】
カラビナは、物品を互いに取り付け合う手段を提供するために長い間用いられてきた。このような装置は、例えば物品をバックパック、財布、ハンドバッグ、キーチェーン、ベルト通し、ユーティリティベルト等に素早く容易に固定することを可能にする等、多くの用途を有する。米国特許第５,００５，２６６号は、典型的なカラビナ型の取り付け装置を開示している。
【０００３】
複合工具が有用であることも知られている。例えば、ナイフ等の既知のアイテムを用いて、ドライバー、櫛、爪楊枝、鋏、毛抜き、食器、缶切り等のような種々のタイプの他の工具を組み込むことでそのアイテムの機能を高めるという、スイスアーミーナイフの概念が長年にわたり存在している。場合によっては、カラビナの標準構造の一部として、すなわちカラビナ本体の３つの脚の１つとして、ナイフ及び懐中電灯等の特定のタイプの工具を組み合わせることも知られている（米国特許第５，２７０，９０９号及び第６，２２３，３７２号、並びにwww.demstore.com及びwww.branders.comを参照）。カラビナ取り付け装置を、ラジオ（米国意意匠特許第Ｄ４５９,３３８号を参照）、コンパス（www.advantageindustries.comを参照）、並びに時計及びクロノメータ（米国特許第６,５２７,４３４号及び米国意匠特許第Ｄ４６９,０２３号、並びにwww.promoplace.comを参照）等の個人が日常用いる標準アイテムと組み合わせることが、さらに知られている。
【０００４】
このような従来技術は、それらの特定の目的を果たすためにそれ自体だけで有用であるが、単に本発明に開示されているものではないため、本発明に悪影響を及ぼすことはない。
【発明の開示】
【発明が解決しようとする課題】
【０００５】
したがって、カラビナ型取り付け構造を用いて上記のタイプのアイテム／工具を他のアイテムに容易に着脱可能にすることが望ましいため、カラビナ型取り付け機構を用いて巻尺及び交換式ヘッド付きドライバー／六角レンチ等のアイテム／工具を容易に着脱可能にすることも望ましいであろう。
【課題を解決するための手段】
【０００６】
［発明の開示］
本発明によれば、カラビナ工具アッセンブリが提供される。工具アッセンブリは、一実施形態において、長手方向の長さを有する工具を収納する本体部分とカラビナアッセンブリとを備える。本体部分は、内部室を形成する外殻と、外殻を通って内部室まで延びる開口とを備え、開口は、工具の長手方向の長さに沿った方向に工具を通すのに必要なサイズよりもごくわずかに大きなサイズである。カラビナアッセンブリは、選択的に開口可能なゲートアッセンブリを有する第１の脚を備え、第１の脚は、本体部分の第１のセクションから延びる。第２の脚が本体部分の第２のセクションから延び、第３の脚が第１の脚と第２の脚との間に延びこれらを接続し、カラビナアッセンブリの第１の脚、第２の脚、及び第３の脚は、別の開口を画定する。カラビナアッセンブリは、２つの脚しか有さなくてもよい。
【０００７】
改良型の工具アッセンブリを提供することが本発明の目的である。
【０００８】
カラビナ型取り付け機構を有する改良型の工具アッセンブリを提供することが、本発明の別の目的である。
【０００９】
工具がカラビナ型ハンドルアッセンブリを有するドライバーである、改良型の工具アッセンブリを提供することが、本発明のさらに別の目的である。
【００１０】
本発明のさらなる目的は、ドライバーが複数の交換式ドライバーヘッド及び／又は六角レンチ型ビットヘッドを備える、改良型の工具アッセンブリを提供することである。
【００１１】
工具がカラビナ型ハンドルアッセンブリを有する巻尺である、改良型の工具アッセンブリを提供することが、本発明のさらに別の目的である。
【００１２】
本発明の他の目的は、一部が自明であろうし、且つ一部は以下の説明から明らかとなるであろう。
【００１３】
したがって、本発明は、本明細書で後述する製品において例示される部品の特徴、特性、及び関係を有するアッセンブリであり、本発明の範囲は特許請求の範囲に示される。
【発明を実施するための最良の形態】
【００１４】
本発明をさらに理解するために、添付図面とともに以下の説明を参照する。
【００１５】
［発明を実施するための最良の形態］
以下の説明では、説明を目的として、本発明をよりよく理解させるために特定の数、材料、及び構成を記載している。しかしながら、これらの特定の詳細なしに本発明を実施できることが当業者には明らかであろう。場合によっては、本発明を曖昧にしないために、既知の特徴が省略又は簡略化されているかもしれない。さらに、本明細書での「一実施形態」又は「実施形態」への言及は、本発明に関連して説明される特定の特徴、構造、又は特性が本発明の少なくとも１つの実施形態に含まれることを意味する。「一実施形態において」という表現がある場合、本明細書の種々の箇所にこの表現が出てきても、それは必ずしも全てが同じ実施形態を指すわけではない。
【００１６】
次に図を参照すると、図１及び図２において、工具アッセンブリ１０が提供されることが分かる。工具アッセンブリ１０は、本体セクション２０及びカラビナ型ハンドルセクション５０から構成される。
【００１７】
本体セクション２０は円筒形／丸みのある(bulbous)形であり、この形状は本体セクション２０の内部に工具８０を収納することを可能にする。図１及び図２に示す実施形態の工具８０は、複数のドライバーヘッドを備える。好ましい実施形態では、複数のドライバーヘッドは、４つのドライバーヘッド８２、８４、８６、及び８８（以下「８２〜８８」とする）であり、これらヘッドのうち２つはマイナスドライバーであり、他の２つはプラスドライバーである。図において、ヘッド８２〜８８のうちどれがマイナスでどれがプラスであるかは重要ではない。２つのマイナスドライバー及び２つのプラスドライバーのうち、一方が小さく他方が大きくなっていることをさらに理解されたい。ドライバーヘッド８２〜８８間のこの「サイズ」の差は、ドライバーヘッドの長さを指すのではなく、ドライバーヘッドの幅を指すのでもなく、プラス及びマイナスのヘッド部分の先端のサイズを指すものであるため、異なるサイズのねじ頭が容易に適合される。別の実施形態において、ヘッド８２〜８８は、六角レンチ型の先端又は当該技術分野で既知の他の先端、及び／又はドライバーヘッドと六角レンチ型ビットヘッドとの組み合わせを含むことができる。
【００１８】
本体２０は、その外面から内部室まで延びる開口９０を有する。本体２０の開口９０内に交換可能に入れるために、ヘッド８２〜８８は全て、実質的に同じ長手方向の長さＬ及び幅Ｗを有する。このように、ねじの挿抜を行うのに用いるためにヘッド８２を本体２０の開口９０内に入れることができ、続いてねじが完全に挿通されるか又は抜かれると、ヘッド８２を開口９０から取り外すことがでる。したがって、例えば、より大きなねじ又はより小さなねじのためにより大きなねじサイズ又はより小さなねじサイズが必要である場合、又はプラスヘッドからマイナスヘッドへ／マイナスヘッドからプラスヘッドへの交換若しくはプラス／マイナスヘッドから六角レンチ型ヘッドへの交換が必要である場合、ヘッド８６を代わりに用いてもよい。
【００１９】
ヘッド８２〜８８は、当該技術分野で既知の方法で、例えば、これらヘッドの幅Ｗを同様の受け入れ形状（図示せず）を有する開口９０の壁に対応するように八角形又は六角形に形成することにより、開口９０内に保持される。同様に当該技術分野で既知のように、開口９０内にヘッド８２〜８８を保持するために、ヘッド８２〜８８のうち開口９０に入る部分の長手方向の長さの１つ又は複数の平面に、隆起ナブ(raised nub)９２を設けてもよい。
【００２０】
最後に、図１及び図２の実施形態の工具アッセンブリ１０の本体２０に関して、複数のヘッド８０が摺動可能な引き出し９４上／内に収容されてもよい。引き出し９４は、複数のヘッド８０の全てを保持するように設計され、本体２０内にヘッドを固定保持するために、又は開口９０内での使用に備えて本体２０からヘッドを取り外すために、本体２０に対して選択的にそれぞれ摺動出入りさせることができる。本発明は、工具アッセンブリ１０の本体２０内に複数のヘッド８０を収納する他の方法を含むことも意図されることを理解されたい。このような他のタイプの構造は、ヘッド８０が収納されている本体２０の内部室内に種々の使用ごとにアクセスするために、本体２０の片側から外側に開く回動可能なドア（図示せず）を設けるものである。本体２０の内部室内にアクセスしてヘッド８０の取り外し及び／又は交換を行うためのさらに別のタイプの構造は、本体２０の片側又は両側でスライディングドア（図示せず）を用いるものである。他の同様のタイプの構造も本明細書では予期される。
【００２１】
工具は、開口９０内に収容される１つの工具ビットのみから構成され得ることも、本明細書から理解されたい。これに関して、工具がドライバーヘッドである場合、マイナス若しくはプラスヘッドビットであってもよく、又は両側にドライバーヘッドを有する両頭ドライバービッドであってもでもよい。両頭ドライバービットとしては、例えば、２つのマイナスヘッド若しくは２つのプラスヘッドや、さらには片側がマイナスヘッドで他方の側がプラスヘッドのものがある。工具は、六角レンチ型ビットヘッド又は両側六角レンチ型ビットヘッドの形態であってもよい。このような実施形態において、収納部品は予期されていないが、存在する場合もある。
【００２２】
次に図３及び図４を参照すると、ここでも同様に、本体部分２０及びカラビナ型ハンドル部分５０を有する工具アッセンブリ１０が提供される。しかしながら、この実施形態では、工具８０’が巻尺である。巻尺８０’は、本体２０の内部室内に配置され、だぼ９６の周りに回転可能に取り付けられることが好ましい。
【００２３】
工具アッセンブリ１０のこの実施形態では、巻尺８０’のスプールが本体２０の開口９０から延びる前縁１００を有するような通常の巻尺としてアッセンブリが機能すること、及びアッセンブリ１０の使用者が巻尺を普通に用いる際に前縁１００を単に引っ張るだけでよいことが予期される。この実施形態では、開口９０は、巻尺８０’の長手方向の長さをちょうど通すことができるが、前縁１００の端部キャップ１０２のサイズよりも小さいようなサイズにされる。このように、端部キャップ１０２は、巻尺８０’が放出されたときに前縁１００が本体２０の内部室まで自動的に後退するのを防止するため、完全後退防止装置としての役割を果たす。
【００２４】
工具アッセンブリ１０は、当該技術分野で既知のように使用者が巻尺８０’を解放させたときに自動的に後退してだぼ９６に巻き付くのを防止するように巻尺８０’に強制力を働かせる、本体２０の外面に沿って配置された別の後退防止装置９４を備えていてもよいことを、本明細書からさらに理解されたい。標準的な動作の巻尺の他の構造も本明細書では予期される。
【００２５】
工具アッセンブリ１０は、金属、合金、硬質プラスチック、及び／又は他のこのような既知の材料を含む、工具アッセンブリ１０を作製するための既知の標準的な材料のいずれかでできていてもよいことも予期される。
【００２６】
アッセンブリ１０は、通常の構造では、限定はされないが、接着剤及び／又はねじの使用等、金属及び／プラスチックのような材料を接着するための従来技術で既知の方法で互いに接着される、２つの別個の半体１２及び１４からできていることも、本明細書から理解されたい。本体２０はこのように互いにシールすることができるが、開口９０はシールされず、これらを通して工具８０及び８０’の収容を可能にすることを理解されたい。
【００２７】
次にカラビナ型ハンドルアッセンブリ５０の説明に移ると、好ましい実施形態のカラビナ５０は、第１の脚６０、第２の脚７０、及び第３の脚７４を有することが分かる。第１の脚６０は、第１の脚６０の一体部分としてそこに沿って延びるゲートアッセンブリ６２を有する。ゲート６２は、ばね付勢式機構又は可撓性ゲート構造を含む、解除すると自動的に閉じることが可能なカラビナゲートを作製する既知の方法で作られる。可撓性ゲート構造を用いる場合、ゲート６２のアーム６１は、その最初の位置の「記憶」を有する可撓性材料から成形されるため、アーム６１が曲がってゲート６２が開いた後、アーム６１は使用者が解除した後に閉位置に戻る。これらの特定の実施形態では、ゲートアッセンブリ６２のピボット部材６４が、第１の脚６０のうち、第３の脚７４に対するよりも本体２０に近い部分にある。このように、ゲートアッセンブリ６２は第３の脚７４の近くで開くことで、ベルト通し、ユーティリティベルト、ハンドバッグ等のようなアイテムへのアッセンブリ１０の取り付け及び取り外しを容易にすることができる。
【００２８】
別段の明示がない限り、本明細書全体で用いられる場合、「実質的に」という用語は、「指定されたものを主とするが完全にではない」という意味を有するものとする。「Webster's Ninth New Collegiate Dictionary」（Merriam-Webster Inc., 1989）を参照されたい。したがって、出願人は、「実質的に」という用語を「相当な量」又は「著しく大きい」を意味するために用いているのではなく、或る用語の限定詞／極小詞としてこの用語を用いている。例えば、「ヘッド部分は本体部分よりも実質的に上にある」という表現において、「実質的に上」とは、ヘッド部分の大部分が本体部分の上方に位置するが、ヘッド部分の一部は本体部分と同一面内に、又は本体部分の一部よりも下に位置するかもしれないことを示すことが意図される。さらなる例として、「実質的に中空」という表現は、そのアイテムがほとんど完全に中空であるが、中空ではない領域もいくらかあるかもしれないことを示すことが意図される。これら特定の表現が本明細書中にない場合であっても、これらの例は、本明細書全体で用いられる「実質的に」という用語に当てはめられると考えられる意味を例示することが意図される。
【００２９】
本明細書全体で用いられる場合、「少なくとも１つの」という表現は１つ又は複数を意味することが意図されることも理解されたい。
【００３０】
したがって、前述の説明から明らかとなるもののうち上記の目的が効率的に果たされることが分かるであろう。また、本発明の精神及び範囲から逸脱せずに上記の構造にある程度の変更を加えることができるため、上記の説明に含まれ添付図面に示される全てのものが、限定を意味するものではなく例示として解釈されるものとすることが意図される。
【００３１】
添付の特許請求の範囲は、本明細書に記載されている本発明の包括的な特徴及び特定の特徴全てと、文言上それらの間に入ると言える本発明の範囲の記載全てとを包含することが意図されることも理解されたい。
【図面の簡単な説明】
【００３２】
【図１】本体内の複数のドライバーヘッドを断面で示す、本発明の工具アッセンブリの第１の実施形態の側面図である。
【図２】図１の工具アッセンブリの底面図である。
【図３】本体内の巻尺を断面で示す、本発明の工具アッセンブリの第２の実施形態の側面図である。
【図４】図３の工具アッセンブリの底面図である。
【図１】
2007511374.tif 000003
【図２】
2007511374.tif 000004
【図３】
2007511374.tif 000005
【図４】
2007511374.tif 000006
【国際調査報告】
2007511374.tif 000007